(57)【要約】      （修正有）【課題】簡易な構造によってタグを保護した状態で保持することのできる操作ハンドルを提供する。【解決手段】バルブの開度を表示する表示機構を備えた操作ハンドル１であって、バルブ本体側に固定された基準部材４と、バルブの開閉操作を行う操作回動部材の接続部２５１に接続された操作部材３とを備え、基準部材４の形成時において、型を抜いた後に形成される空間を、無線タグ５の収納部４４として機能させる。【選択図】図２
2014074464.tif 000002
【特許請求の範囲】
【請求項１】
バルブ本体に対して回動させることによってバルブの開閉操作を行う操作ハンドルであって、
バルブ本体側に固定された基準部材と、
バルブの開閉操作を行うための操作回動部材に接続された操作部材と、
前記操作部材と前記基準部材との相対的な位置関係によってバルブの開度を示す表示機構とを備え、
前記基準部材は、シート状の無線タグを収容して保護するための収納部を内側に有することを特徴とする開閉バルブの操作ハンドル。
【請求項２】
前記収納部は、前記操作回動部材を中心として周方向に設けられている請求項１に記載の開閉バルブの操作ハンドル。
【請求項３】
前記基準部材は、型成形によって作られた樹脂製部材であって、型を抜いた後に形成される空間を収納部とするものである請求項１又は２に記載の操作ハンドル。
【請求項４】
前記基準部材は、外周部と内周部とを有し、前記内周部と前記外周部との対向する面において、それぞれ対向する位置に設けられた複数のリブを有し、前記記憶装置は、前記内周部に設けられたリブと前記外周部に設けられたリブとの間に形成された隙間に挿入される請求項３に記載の操作ハンドル。
【請求項５】
前記外周部と前記内周部との間には、開口部側に連結部が設けられ、前記連結部の内側に記憶装置が挿入される請求項４に記載の操作ハンドル。
【請求項６】
バルブ本体に対して回動させることによってバルブの開閉操作を行う操作ハンドルであって、
バルブの開閉操作を行うための操作回動部材に接続された操作部材を備え、
前記操作部材は、シート状の無線タグを収容するための収納部を有し、
前記操作部材は、型成形によって作られた樹脂製部材であって、型を抜いた後に形成される空間を収納部とするものである開閉バルブの操作ハンドル。
【発明の詳細な説明】
【技術分野】
【０００１】
この発明は、バルブの操作ハンドルに係り、詳しくは、無線通信によってデータを送受信できるタグを収納する収納部を備えた操作ハンドルに関するものである。
【背景技術】
【０００２】
ガスボンベなどのガスの容器には、ガスの取出しや充填のために開閉操作される開閉弁が装着される。近年、このような弁に対して、ガス容器に充填されるガスの種類や量、或いは輸送先など、各容器毎のデータを担時させられたＩＣタグが装着されているものがある。ＩＣタグは、リードライターの発する搬送波によってＩＣに対してデータを瞬時に読み書きすることができる。
【先行技術文献】
【特許文献】
【０００３】
【特許文献１】特開２００３−１８５０５６号公報
【発明の概要】
【発明が解決しようとする課題】
【０００４】
しかしながら、上記従来のタグ付弁は、弁の外側にタグが取り付けられている。従来例のように、定位置に固定されている弁の場合には、さほど問題にはならないが、プロパンガス容器や医療用酸素容器のように、頻繁に運搬されるガス容器に取り付けられる弁の場合には、運搬時の振動や接触などによってタグ取付部分が破損するといった問題があった。また、タグを外部からの衝撃から保護した状態で弁に装着するには、タグを収容する部材を別途設ける必要があり、構造が複雑化し、また、製造コストが高価になるといった欠点もあった。  
この発明は、簡易な構造によってタグを保護した状態で保持することのできる操作ハンドルを提供することを目的とするものである。
【課題を解決するための手段】
【０００５】
以上のような問題を解決する本発明は、以下のような構成を有する。  
（１）  バルブ本体に対して回動させることによってバルブの開閉操作を行う操作ハンドルであって、
バルブ本体側に固定された基準部材と、
バルブの開閉操作を行うための操作回動部材に接続された操作部材と、
前記操作部材と前記基準部材との相対的な位置関係によってバルブの開度を示す表示機構とを備え、
前記基準部材は、シート状の無線タグを収容して保護するための収納部を内側に有することを特徴とする開閉バルブの操作ハンドル。
【０００６】
（２）前記収納部は、前記操作回動部材を中心として周方向に設けられている上記（１）に記載の開閉バルブの操作ハンドル。
【０００７】
（３）前記基準部材は、型成形によって作られた樹脂製部材であって、型を抜いた後に形成される空間を収納部とするものである上記（１）又は（２）に記載の操作ハンドル。
【０００８】
（４）前記基準部材は、外周部と内周部とを有し、前記内周部と前記外周部との対向する面において、それぞれ対向する位置に設けられた複数のリブを有し、前記記憶装置は、前記内周部に設けられたリブと前記外周部に設けられたリブとの間に形成された隙間に挿入される上記（３）に記載の操作ハンドル。
【０００９】
（５）前記外周部と前記内周部との間には、開口部側に連結部が設けられ、前記連結部の内側に記憶装置が挿入される上記（４）に記載の操作ハンドル。
【００１０】
（６）バルブ本体に対して回動させることによってバルブの開閉操作を行う操作ハンドルであって、
バルブの開閉操作を行うための操作回動部材に接続された操作部材を備え、
前記操作部材は、シート状の無線タグを収容するための収納部を有し、
前記操作部材は、型成形によって作られた樹脂製部材であって、型を抜いた後に形成される空間を収納部とするものである開閉バルブの操作ハンドル。
【発明の効果】
【００１１】
請求項１に記載の発明によれば、基準部材の内側に形成された収納部に無線タグを収納できるので、従来の部材を利用して無線タグの保護と保持ができ、無線タグの保護部材を特別に設けることが不要となる。
【００１２】
請求項２に記載の発明によれば、収納部が周方向に形成されているので、無線タグが収納部に収納された状態では、無線タグのアンテナ部が円環状に湾曲した状態で保持されることとなり、無線タグに対するいかなる方向からの搬送波に対して反応できることとなる。従って、無線タグに対して、任意の方向からリードライトが可能となる。
【００１３】
請求項３に記載の発明によれば、型形成によってつくられた樹脂製部材において、型を抜いた後に形成される中空空間が収納部となっているので、無線タグを収納するための空間を特に設けることなく、収納部を得ることができる。
【００１４】
請求項４に記載の発明によれば、前記内周部と前記外周部とから構成される収納部の内側に形成されたリブの隙間に無線タグが挿入されて支持されるので、収納部内で無線タグが踊ることなく、無線タグの位置決めが可能となる。また、位置決めするリブは、形成時に形成されるものであるから、無線タグの位置決めのための構造を改めて構成する必要がない。
【００１５】
請求項５に記載の発明よれば、外周部と内周部との間に渡された連結部によって、無線タグが収納部から落下することが抑制され、確実に無線タグが収納部内に保持される。
【００１６】
請求項６に記載の発明によれば、操作部材の内側に形成された収納部に無線タグを収納できるので、従来の部材を利用して無線タグの保護と保持ができ、無線タグの保護部材を特別に設けることが不要となる。
【図面の簡単な説明】
【００１７】
【図１】本発明の操作ハンドルが取り付けられたバルブの全体断面側面図である。
【図２】操作ハンドルの断面側面図である。
【図３】操作部材の平面図である。
【図４】基準部材の平面図である。
【図５】基準部材の底面図である。
【図６】基準部材の全体斜視図である。
【図７】他の実施形態における操作ハンドルの断面側面図である。
【図８】他の実施形態における基準部材の断面側面図である。
【発明を実施するための形態】
【００１８】
以下、本発明の好適実施形態について、添付図面に基づいて詳細に説明する。図１は、本発明の操作ハンドル１が取り付けられたバルブ２の全体断面側面図である。バルブ２は、バルブ本体２１と、バルブ本体２１内に形成された弁室２１２に収容された弁体２２と、弁室２１２を塞ぐ蓋体２３と、弁体２２を回動操作する操作トルクを伝達する操作回動部材２５とを備えている。弁室２１２の内側には、内周に形成された雌ネジ部２１６が設けられ、該ネジ部２１６には、弁体２２の外周面に形成された雄ネジ部２２１が螺合している。このネジの螺合によって、弁体２２が回動すると、弁体２２が軸方向に移動する。また、弁体２２の先端には横断面が多角形状の係合凸部２２３が設けられ、操作回動部材２５基端に形成された係合凹部２５２に、軸方向摺動自在に係合している。係合凸部２２３と係合凹部２５２は、相互に同一の横断面を有し、軸線を中心として一体回転可能であって、軸方向には摺動自在に接続されている。
【００１９】
弁体２２は、弁室２１２内に形成された弁口２１３に基端部が押し当てられて弁口２１３を塞いだ閉状態と、弁口２１３から基端部が離れた開状態とに切り替えられる。弁体２２の基端部において、弁口２１３に対向する面には、パッキン２２２が設けられている。  
弁口２１３は、ガス流入路２１４に連通し、ガス流出路２１５は、弁室２１２に連通している。ガス流入路２１４から流入したガスは、弁口２１３から弁室２１２内に流入し、ガス流出路２１５からバルブ２の外へ流出する。
【００２０】
以上のような構成において、操作回動部材２５が閉じ方向に回転すると、弁体２２は、弁口２１３方向へ移動して、弁口２１３を閉鎖する。操作回動部材２５が開方向に回転すると弁体２２が同じ方向に一体回転し、先端方向へ移動する。これにより、弁体２２は、弁口２１３から離れる方向へ移動して、弁口２１３を開放する。
【００２１】
操作回動部材２５の先端には、横断面が多角形状（本実施形態では四角形）に形成された接続部２５１が設けられており、この接続部２５１に、断面形状と同形状に形成された孔に挿通させる操作部材３が接続されている。これにより、操作部材３と操作回答部材２５は一体として回動する。図２は、操作ハンドル１の断面側面図、図３は、操作部材３の平面図である。操作部材３の中央部３１には、接続部２５１の横断面形状に合致した接続孔が形成され、接続部２５１に接続孔を嵌合させることにより、操作回動部材２５と一体回動する構成となっている。接続部２５１の先端には、雄ネジが設けられ、この雄ネジに螺合するボルト３０１によって、操作部材３は、操作回動部材２５に固定される。
【００２２】
操作部材３は、操作回動部材２５に接続される中央部３１と、中央部３１の上方から放射状に延出して円盤状をなす天面部３２と、天面部３２の外周において下方に延出する外周側部３３とを有し、中央部３１、天面部３２、外周側部３３とによって囲まれた空間によって、基準部材４を収容する収容部３４が形成される。
【００２３】
操作部材３の外周縁部には、凹部３３１が所定間隔で形成されており、操作部材３を握って回転させる際に、指が掛かって握り易い構成となっている。また、天面部３２には、窓３５が形成されており、窓３５を介して、基準部材４の表示部を視認できるように構成されている。以上のように構成された操作部材３は、例えば樹脂製であって、射出成型などの型形成によって製造される。
【００２４】
収容部３４内に収容される基準部材４について説明する。図４は、基準部材４の平面図、図５は同じく底面図である。また、図６は、同じく全体斜視図である。基準部材４は、中央部内側に筒状に形成された内周部４１と、内周部４１の外側において筒状に形成された外周部４２と、内周部４１の上辺と外周部４２の上辺との間に形成された上面部４３とを有し、上面部４３の外表面には、バルブの開度を表示する表示部４３１が設けられている。また、内周部４１、外周部４２、上面部４３とによって画成された空間は、無線タグ５を収納する収納部４４となっており、収納部４４の下部は開口４４１となっている。この収納部４４は、操作回動部材２５を中心として周方向に設けられている。
【００２５】
表示部４３１には、周方向に沿って表示内容が変化する視覚情報が表示されている。操作部材３を回動させると、表示部４３１に沿って、操作部材３の窓３５が移動するように構成されており、操作部材３を回転させてバルブ２を全開状態とすると、窓３５が位置３５Ａに移動して「全開」と表示されている位置に重なり、操作部材３を回転させてバルブ２を閉状態とすると、窓３５が位置３５Ｂに移動して、「閉」と表示されている位置に重なるように、基準部材４と操作部材３との相対位置が決められている。また、「閉」表示位置と、「全開」表示位置との間には、「全開」を意味する視認情報（例えば色情報として緑）と、「閉」を意味する視認情報（例えば、色情報として赤）とが所定の割合で分割して塗り分けられており、塗り分けられる割合が、周方向に沿って一次的に変化するように構成されている。このような構成とすることによって、窓３５が「閉」でも「全開」でもない位置３５Ｃにあるときは、塗り分けられた割合によって、開度が認識できる構成となっている。
【００２６】
このような表示部４３１と窓３５とによって、表示機構が構成される。
【００２７】
基準部材４の内周部４１の下側には、バルブ本体２１側に接続される嵌合部４５が設けられている。嵌合部４５は、下側に開口した筒状であって、内周面には、底部交差角度が１２０度の嵌合凹部４５１が形成されている。この嵌合部４５は、バルブ本体２１の上端部に位置する蓋体２３の頭部ナット部２３１に嵌合するように構成されている。嵌合凹部４５１が、頭部ナット部２３１の角部に嵌め合わされて固定される。このような嵌め合いにより、基準部材４は、バルブ本体２１側に固定され、操作部材３とともに回転しないように構成されている。
【００２８】
内周部４１は、収納部４４内において、周方向に所定間隔で配置されたリブ４１１を有している。また、外周部４２も同様に、収納部４４内において、周方向に所定間隔で配置されたリブ４２１を有している。リブ４１１とリブ４２１は、相互に対向する位置に配置され、突き合わされた先端の間隔は、無線タグ５の厚さと同等か、若干大きい程度の間隔である。
【００２９】
さらに、内周部４１と外周部４２との間には、連結部４４２が所定間隔で周方向に設けられている。連結部４４２は収納部４４の開口部４４１側に設けられているので、連結部４４２によって、収納部４４内の無線タグ５は、開口部４４１から落下して外れることなく、収納部４４内に保持される。
【００３０】
基準部材４は、樹脂製であって、射出成型などの型形成によって製造され、上記リブ４１１、４２１及び連結部４４２は、型形成を行う場合に形状の変形を防止し、また強度を得るために形成されるものであるが、無線タグ５を収納する収納部として、また無線タグ５を保持する部位としてそれぞれ機能させることができる。リブ４１１、４２１は、無線タグ５を収納部４４の略中央部に、つまり内周部４１の内壁や、外周部４２の内壁から離した状態で保持できるように作用する。無線タグ５が内壁に密着していると、無線タグ５と内壁の間に、表面張力によって水が浸入し易くなるが、内壁から離れて保持されるので、この進入した水によって搬送波に対する感度に影響がでるといった不都合が抑制される。
【００３１】
本発明は、型を抜いた際に、容積を稼ぐために形成される中空空間を、無線タグ５の収納部４４としても用いることによって、製造工程の簡素化や、構造の単純化を図ることが用意となった。
【００３２】
次に、無線タグ５の構成について説明する。無線タグは、非接触型ＩＣカードの一種であり、リーダ・ライタから搬送波を送信して搬送波からの電磁誘導によりＩＣカードに電力を供給し、搬送波の変調によりリーダ・ライタとカード間で通信を行うものである。通信されるデータの内容は、容器のガスの種類や、残り量、搬送履歴など、所望のデータが送受信される。
【００３３】
無線タグ５は、シート状の基体と、基体に貼り付けられ、搬送波を受信するアンテナ部と、搬送波を受信して電源の供給を受け、この電源を利用してデータをアンテナから送信するタグＩＣとを有している。無線タグ５は、全体として薄いシート状に構成されているので、全体として任意の形状に湾曲させることができる構成となっている。図６に示されているように、基準部材４に収納されている状態では、無線タグ５は、環状に湾曲させられた状態となっているので、リードライターから発せられる搬送波に対して、方向を問わず良好に反応することができる。
【００３４】
以上説明した構成は、操作ハンドル１が、開度表示機構を有している場合の構成例であるが、通常の操作部材のみを有する操作ハンドルに無線タグを収納させることもできる。図７は、操作部材に無線タグを収納する収納部を設けた構成例を示す側面断面図である。
【００３５】
操作ハンドル本体３Ａは、操作回動部材２５の先端部に接続される中央部３１Ａと、中央部３１Ａの上部から放射状に延出して円盤状をなす天面部３２Ａと、天面部３２Ａの外周において下方に延出する外周側部３３Ａとを有し、外周側部３３Ａの内側に筒状の外周部３５Ａが形成されて、外周部３５Ａと中央部３１Ａとの間に無線タグ５を収納する収納部３４Ａが画成されている。収納部３４Ａは、操作回動部材２５を中心として周方向に設けられている。
【００３６】
このような構成の操作ハンドル本体３Ａは、樹脂製であって、射出成型などの型形成によって製造される。収納部３４Ａは、型形成における型を抜いた後に形成される空間となっており、この空間を収納部３４Ａとして機能させることができる。リブな連結部などの構成は、図５、図６に示す基準部材４の構成と同様であるので説明を省略する。
【００３７】
図８は、他の構成例を示す操作ハンドル３Ｂの側面断面図（図８（Ｂ））及び平面図（図８（Ａ））である。操作ハンドル３Ｂは、筒状に形成されたハンドル本体３０Ｂは、基部３０１Ｂにバルブ頭部Ｂｈに被さる凹部３０２Ｂと、基部３０１Ｂの周端部から上方に延出して構成された筒状のハンドル部３１Ｂとを備えている。ハンドル部３１Ｂは、軸方向に形成された緩やかな円弧状に削り取られた複数の溝３１２Ｂと、複数の細溝で形成された複数の凸条部３１１Ｂとを外側周面に有している。
【００３８】
これらの、溝３１２Ｂと凸条部３１１Ｂ、ハンドル部３１Ｂを摘んで回動させる操作において、ハンドリングを容易とし、滑り止めをする効果を有する。基部３０１Ｂの中央部にはバルブの操作回動部材２５の接続部２５１が挿通しており、該接続部２５１の先端部は、ハンドル部３１Ｂ内側の接続収納部３２Ｂ内において、ナット３４Ｂが螺合している。ナット３４Ｂと基部３０１Ｂの間に介挿されている圧縮スプリング３５Ｂによって、操作ハンドル３Ｂは、バルブ側に付勢されている。接続部２５の横断面は多角形状（本実施例では、４四角形）に形成され、これに嵌合する同形状の嵌合孔が基部３０１Ｂ形成されており、操作ハンドル３Ｂと、操作回動部材２５が一体回動する構成となっている。
【００３９】
接続収納部３２Ｂ内には、内側面の軸方向に溝が形成されてダク収納部３６Ｂが設けられている。タグ収納部３６Ｂには、薄板状タグ５Ｂが収納される。タグ収納部３６Ｂの底面には、凸条に形成されたリブ３７Ｂが設けられ、タグ５Ｂが、タグ収納部３６Ｂの側面（溝底面）に密着しないように構成されている。このようなタグ収納部３６Ｂは、ハンドル本体３０Ｂを型成形する際に同時に形成される。収納部３６Ｂは、タグ５Ｂの形状に合致した大きさに形成されており、タグ５Ｂの構成については、既に無線タグ５の構造と同様であるので、説明を省略する。タグ収納部３２Ｂには、開口部に蓋部材３３Ｂが嵌め込まれる、この蓋部材３３Ｂによってタグ収納部３２Ｂも閉鎖され、蓋部材３３Ｂによって、タグ５Ｂがタグ収納部３２Ｂ内に保持される。  
以上のように、タグ５Ｂは、バンドル本体の形成時において、形成されたタグ収納部３６Ｂ内に収容される。
【符号の説明】
【００４０】
１  操作ハンドル
２  バルブ
２１  バルブ本体
２３  蓋体
３  操作部材
３５  窓
４  基準部材
４１  内周部
４２  外周部
４４  収納部
４３１  表示部
４１１  リブ
４２１  リブ
４４２  連結部
５  無線タグ
【図１】
2014074464.tif 000003
【図２】
2014074464.tif 000004
【図３】
2014074464.tif 000005
【図４】
2014074464.tif 000006
【図５】
2014074464.tif 000007
【図６】
2014074464.tif 000008
【図７】
2014074464.tif 000009
【図８】
2014074464.tif 000010